(57)【要約】      （修正有）【課題】ゴルフクラブヘッドに装着しないとき、例えばグリーン上でパターを使う際などに衣服等に係着して携帯可能でありながら、衣服等に係着するにあたり特に専用の部品なども必要としない、極めて簡便なゴルフクラブ用ヘッドカバーを提供する。【解決手段】ゴルフクラブヘッドを入れる本体袋部１と、ヘッドを入れた後に本体袋部の開口部を閉じるよう本体袋部に係止可能なベロ部３を有し、前記ベロ部には凸部、高摩擦部あるいは磁石を配する。これにより、ズボン６の後ろポケットやベルト６-bとズボンの間に差し込んだベロ部が抜けることを防止する。【選択図】図１１
0003114460.tif 000002
【実用新案登録請求の範囲】
【請求項１】
ゴルフクラブヘッドを入れる本体袋部と、該ヘッドを入れた後に本体袋部の開口部を閉じるよう本体袋部に係止可能なベロ部を有し、前記ベロ部は非使用時にズボンの後ろポケットやベルトとズボンの間に差し込むことが可能であって、かつ差し込んだベロ部の抜け防止手段を有することを特徴とするゴルフクラブ用ヘッドカバー。
【請求項２】
抜け防止手段がベロ部に設けられた凸部であることを特徴とする請求項１に記載のゴルフクラブ用ヘッドカバー。
【請求項３】
抜け防止手段としてベロ部に高摩擦部を設けたことを特徴とする請求項１に記載のゴルフクラブ用ヘッドカバー。
【請求項４】
前記ベロ部、前記本体袋部の少なくとも一方は磁石が配され、磁石が配されない方には強磁性体が配されており、ゴルフクラブヘッドを入れた場合にはベロ部が前記磁石の磁力で本体袋部に係止されるとともに、前記磁力をもってベロ部をズボンの後ろポケットやベルトとズボンの間に差し込んだ際の抜け防止を図ることを特徴とする請求項１に記載のゴルフクラブ用ヘッドカバー。
【請求項５】
ベロ部は凸部を有し、該凸部に磁石又は強磁性体が配されていることを特徴とする請求項４に記載のゴルフクラブ用ヘッドカバー。
【請求項６】
本体袋部と、本体袋部の開口部を閉じる蓋部と、蓋部から長く延びるベロ部を有することを特徴とする請求項１乃至５に記載のゴルフクラブ用ヘッドカバー。
【請求項７】
パター用であることを特徴とする請求項１乃至６に記載のゴルフクラブ用ヘッドカバー。
【請求項８】
本体袋部が、略平行な正面と背面を有することを特徴とする請求項１乃至７に記載のゴルフクラブ用ヘッドカバー。
【請求項９】
本体袋部が上面に前記開口部を有し、かつ正面の上端から前記開口部をふさぐ蓋部が延び、該蓋部の本体袋部とは反対側よりベロ部が延びていることを特徴とする請求項８に記載のゴルフクラブ用ヘッドカバー。
【考案の詳細な説明】
【技術分野】
【０００１】
本考案はゴルフクラブ用ヘッドカバーに関するものである。
【背景技術】
【０００２】
一般に、ヘッドカバーはゴルフクラブ使用時に外され、ショット後には再び装着されるものであり、ショット中はズボンのポケット等に入れられたり、付近の地面上に置かれたりすることが多い。昨今のゴルフクラブはヘッドが大型化しているため、ヘッドカバーも大型化しており、ポケット等に入れても気づかぬうちに脱落しやすくなく、紛失することも少なくない。
【０００３】
そのため、ショット時にはヘッドカバーをズボンのポケットやベルトに係止することが知られている（例えば特許文献１）。図４と５に従来例の使用例を示す。ズボン６のポケット６-ｐやベルト６-ｂに被係着部８を装着し、これにヘッドカバーＡに設けた係着部７を係止するものである。
【特許文献１】登録実用新案第３１０１７０３号公報
【考案の開示】
【考案が解決しようとする課題】
【０００４】
しかしながら、前述の如く、従来例は被係着部８が必要であり、ヘッドカバーの付属部品として用意されるか、又は専用のズボン６又は専用のベルト６-ｂが必要である。被係着部８が失われると、ヘッドカバーの係止機能が全く失われてしまう。更に、従来の係止方法は、係着部７と被係着部８の間の磁力などのみに因っているため、係止力が小さく、ヘッドカバーＡが被係着部８より脱落するおそれもある。
【課題を解決するための手段】
【０００５】
本考案は、斯かる実情に鑑み、被係着部を必要とせず、それ自体にズボン等への係止機能を持たせ、かつ係止力を高めたヘッドカバーを提供しようとするものである。
【０００６】
本考案は、ゴルフクラブヘッドを入れる本体袋部と、該ヘッドを入れた後に本体袋部の開口部を閉じるよう本体袋部に係止可能なベロ部を有し、前記ベロ部は非使用時にズボンの後ろポケットやベルトとズボンの間に差し込むことが可能であって、かつ差し込んだベロ部の抜け防止手段を有することを特徴とするゴルフクラブ用ヘッドカバーである。非使用時とは、ゴルフクラブヘッドに装着していない時を言い、以下同じである。
【０００７】
本考案の第一の特徴は、まずベロ部がズボンの後ポケットやベルトに十分差し込める程度の長さを有することである。
【０００８】
本考案の第二の特徴は、ベロ部に抜け防止の手段が講じられていることである。具体的な抜け防止の手段としては、ベロ部に凸部を設けること、甲摩擦部を設けることが考えられる。凸部はベルトとズボンの間に差し込まれたベロ部が抜けることを防止する。また、ベロ部はベルトとズボンの間で、又はズボンのポケット内で圧力を受けているから、ベロ部表面にゴムなどの高摩擦部材を取り付けたり、ベロ部表面に細かい凹凸を多数設けたり、更にはこれらを併用するなどすれば、大きな静止摩擦力が発生し、ベロは抜けにくくなる。
【０００９】
他の抜け防止手段として、ベロ部、本体袋部の少なくとも一方は磁石が配され、磁石が配されない方には強磁性体が配されており、ゴルフクラブヘッドを入れた場合にはベロ部が前記磁石の磁力で本体袋部に係止されるとともに、前記磁力をもってベロ部をズボンの後ろポケットやベルトとズボンの間に差し込んだ際の抜け防止を図る方法もある。ベロ部をベルトとズボンの間に差し込んだ場合、ベロ部と本体袋部が磁力によって直接係着するので、機械的にベロ部が抜けることを防止できる。ズボンのポケットにベロ部を差し込んだ場合は、ベロ部と本体袋部が磁力によりポケットの布地に押し付けられるので、ベロ部及び本体袋部とポケットとの間の摩擦力が高まり、ベロ部が抜けることを防止できる。
【００１０】
以上のとおり、抜け防止手段は複数考えられるが、これらを併用することで一層効果を高めることも出来る。その一例として、ベロ部は凸部を有し、該凸部に磁石又は強磁性体が配し、本体袋部にも該凸部を引き付けるように磁石又は強磁性体を配しておくことも有効である。また、ベロ部や本体袋部の磁石又は強磁性体を配した部分の表面を、上述のような高摩擦部とすることも有効である。
【００１１】
本考案を実施するにあたって、本体袋部の開口部を閉じる蓋部と、蓋部から細長く延びるベロ部を有するヘッドカバーが好適である。特に、本体袋部が上面に前記開口部を有し、かつ正面の上端から前記開口部をふさぐ蓋部が延び、該蓋部の本体袋部とは反対側よりベロ部が延びているものが最適である。ベロ部が、ゴルフクラブヘッドに装着する際に蓋を閉じて固定する役割を兼ねられるからである。逆に言えば、本考案はズボンのポケット等に係着するための専用であってもかまわない。但し、その場合はコストアップするなどの不利益はある。
【００１２】
更に、本体袋部が略平行な正面と背面を有する形態は、ズボンのポケット等に係止した際、邪魔になりにくい。以上の好適な形態を考慮すると、本考案はパターヘッド用のヘッドカバーの場合に最も実施し易いといえる。ヘッドカバーは主にウッドヘッドとパターヘッドに使用されるが、ウッドヘッドは膨らんだ形状をしているので、上記のような形態にしにくいからである。
【考案の効果】
【００１３】
本考案の請求項１〜９記載のヘッドカバーによれば、非使用時にズボンのポケットやベルトに係着することが可能で、携帯が用意で、かつ紛失しにくいという優れた効果を奏し得る。更に従来例のように、付属部品や専用部品を紛失したために上記機能が失われることも無い。
【考案を実施するための最良の形態】
【００１４】
本考案を実施するに当たり、最も適するヘッドカバーの形態を図１乃至３に示す。まず、ゴルフクラブヘッドを挿入する本体袋部１があり、本体袋部１の上部にはゴルフクラブヘッドを挿入するための開口を有している。本体袋部正面側１-ｂの最上端より、ゴルフクラブヘッドを挿入した後に前記開口を閉じるための蓋部２が延びている。ゴルフクラブヘッドから延びるネック部あるいはシャフトを貫通させるため、本体袋部１と蓋部２の間にはシャフト貫通部５が設けられている。更に、蓋部２には、本体袋部１と繋がる端の反対端よりベロ部３がつながっており、ベロ部３と本体袋部背面側１-ａには係止手段４が配されており、これよってベロ部３を本体袋部背面側１-ａに係止し、蓋部２が開かないように止められる。なお、図からわかるとおり、本体袋部１と蓋部２の間及び袋部２とベロ部３の間は、折り曲げ自由になっている。
【００１５】
本考案は、ベロ部３をズボンのポケットやベルトに挟みこんで係着するものであるので、ベロ部は蓋部から長く延びているのが望ましい。ベロ部３は短すぎたり、幅が狭すぎると、十分な係着力が得られない。逆に、ポケットに差し込む都合上、長すぎたり、幅広すぎてもいけない。ベロ部を差し込むことが困難になるからである。確実な係着のためには、差し込める範囲で出来るだけ長く、幅広くするのが好ましい。一般的な材質やサイズのポケットやベルトを想定して本考案者らが試作したところ、長さは最低５ｃｍ程度、上限１２ｃｍ程度であり、８ｃｍ程度が最適であった。幅は最低４ｃｍ程度、上限は１０ｃｍ程度であり、８〜９ｃｍ程度が最適であった。
【００１６】
ヘッドカバーを外した状態で長時間携帯する必要はパターの場合に最も大きい。他のクラブは打撃後、すぐにヘッドカバーを装着することが多いのに対し、パターは通常１ホール中で２回程度パッティングを行い、他のプレーヤーがパッティングする間もヘッドカバーをパターより外した状態で待つことが多いからである。
【００１７】
さらに、本考案は昨今のいわゆるネオマレットを呼ばれる大型のヘッドを有するパター用として効果的である。従来のパターは比較的ヘッドが小さく、ヘッドカバーがズボンのポケットに入る大きさの場合も多いからである。ネオマレットの形状からすると、ヘッドカバーは本体袋部は正面と背面が略平行であることが望ましい。ヘッド自体がそのような形状をしていることが多いからである。また略平行であることで、ズボンのポケット等に係着した場合も比較的邪魔になりにくい。
【００１８】
以下、図６から１１に実施例の断面図を示すが、これらは図３のＸ-Ｘ線部分の断面である。なお、図４、５に示した従来例の断面図も、略同等部分の断面を示している。
【実施例１】
【００１９】
ゴルフクラブヘッドに装着していないとき、ズボンのベルト６-ｂに係着して保持できるヘッドカバーＡの例を図６に示す。ベロ部３をズボン６とこれに装着されたベルト６-ｂの間に差し込んで使用される。ベロ部３には凸部７-ａが設けられ、ベロ部３が抜けることを防止する。図６に占めるように、凸部７-ａは、ベロ部を差し込む際の容易と確実な抜け防止のため、ベロ部先端側端は漸次厚みが大きくなるよう斜めにされ、反対端は急激に厚みを増すよう直角あるいは直角に近い角度にすることが望ましい。図６では本体袋部背面側１-ａとベロ部との係止手段として、双方に磁石、あるいは一方に磁石で他方に強磁性体を配する方法を示したが、これに限るものではなく、双方表面に面ファスナーを配したり、その他の係止手段を選択可能である。
【実施例２】
【００２０】
ズボンの後ポケット６-ｐに係着して保持できるヘッドカバーＡの例を図７に示す。これはベロ部３の内側に高摩擦部７-ｂを設けたものである。なお、高摩擦部７-ｂはベロ部３の外側とすること、内側と外側の双方とすることも可能である。高摩擦部の具体的例としては、ゴムなどと摩擦係数の大きい材料を表面に貼り付けること、小さな凹凸を多数有する部材を表面に貼り付けることなどが考えられる。もちろん、それらを併用することも可能である。ゴルフクラブヘッドに装着した際の本体袋部背面側１-ａとベロ部との係止は、双方に配された面ファスナーによって行われる。
【実施例３】
【００２１】
ズボンのベルト６-ｂ、ズボンの後ポケット６-ｐのいずれにも係着可能であるヘッドカバーＡの例を図８乃至１０に示す。図８は蓋部２を閉じたヘッドカバー単体のＸ-Ｘ断面を示している。ベロ部は十分に長く、本体袋部１の半分から２/３程度に達している。ベロ部３の先端付近の内部には磁石が配されており、本体袋部１のこれと対応する部分の内部にも磁石が配されている。当然、２つの磁石は引きあう向きに配されているものである。一方のみを磁石とし、他方を鉄などの強磁性体としても良いが、より大きな力を得るには双方とも磁石のほうが好ましい。磁石が内部に配されているので、誤ってゴルフクラブヘッドを傷つけたりするおそれもない。
【００２２】
図８は上記ヘッドカバーをズボンのポケット６-ｐに係着した状態を示す断面図である。二つの磁石が引き合うことで、本体袋部背面側１-ａとベロ部３がポケット６-ｐに押し付けられるので、本体袋部背面側１-ａとポケット６-ｐの間及びベロ部３とポケット６-ｐの間には摩擦力が生じ、ヘッドカバーが動きにくくなる。もちろん、ポケット６-ｐによってベロ部３はズボン６に押し付けられるので、この間でも摩擦力を生じる。
【００２３】
図９は上記ヘッドカバーをズボンのベルト６-ｂに係着した状態を示す断面図である。二つの磁石４-ａがくっつくため、これが外れない限り、ベロ部がズボン６とベルト６-ｂの間から抜けることは無い。
【実施例４】
【００２４】
実施例１と実施例３の効果を併せ持つ実施例４を図１１に示す。ベロ部３の先端付近内側に凸部７-ａが設けられ、実施例１と同様ベロ部３が抜けることを防止する。該凸部７-ａは、その全てあるいは一部が磁石４-ａで構成されており、本体袋部背面側１-ａに配された磁石との間で引き合うようになっている。このため、実施例３と同様に本体袋部背面側１-ａとベロ部３がくっつき、これが外れない限りベロ部３が抜けることは無い。以上により、この例は非常に強固な係着力を有することになる。
【００２５】
図１〜図３及び図６〜１１は考案を実施する形態の一例であって、上述の図示例にのみ限定されるものではなく、本考案の要旨を逸脱しない範囲内において種々変更を加え得ることは勿論である。
【産業上の利用可能性】
【００２６】
本考案は、ゴルフクラブヘッドに装着しないとき、例えばグリーン上でパターを使う際などに衣服等に係着して携帯可能であって、衣服等に係着するにあたり特に専用の部品なども必要としない、極めて簡便なゴルフクラブ用ヘッドカバーを提供するものである。
【図面の簡単な説明】
【００２７】
【図１】本考案の実施に最も適したヘッドカバーの形態を示しており、上段が上面図、中段左が正面図、同右が右側面図、下段が底面図である。左側面は右側面とほぼ同じである。
【図２】図１に示されたヘッドカバーの背面図であり、蓋部を閉じた状態を示すものである。
【図３】図１に示されたヘッドカバーの背面図であり、蓋部を開いた状態を示すものである。
【図４】従来例をズボンのベルトに保持した状態を示す断面図である。
【図５】他の従来例をズボンのベルトに保持した状態を示す断面図である。
【図６】本考案の第１実施例をズボンのベルトに保持した状態を示す断面図である。
【図７】本考案の第２実施例をズボンの後ろポケットに保持した状態を示す断面図である。
【図８】本考案の第３実施例を示すＸ−Ｘ断面図である。
【図９】本考案の第３実施例をズボンの後ろポケットに保持した状態の断面図である。
【図１０】本考案の第３実施例をズボンのベルトに保持した状態の断面図である。
【図１１】本考案の第４実施例をズボンのベルトに保持した状態の断面図である。
【符号の説明】
【００２８】
Ａ    ヘッドカバー
１    本体袋部
１-a  本体袋部背面側
１-b  本体袋部正面側
２    蓋部
３    ベロ部
４    本体袋部の開口部を閉じるためのベロ部係止手段
４-a  磁石又は強磁性体によるベロ部係止手段
４-b  面ファスナーによるベロ部係止手段
５    シャフト貫通部
６    ズボン
６-p  ズボンのポケット
６-b  ズボンのベルト
７    ズボンのポケットあるいはベルトなどへの係着部
７-a  ズボンのポケットあるいはベルトに係着した際の抜け防止凸部
７-b  ズボンのポケットあるいはベルトに係着した際の抜け高摩擦部
８    被係着部
【図１】
0003114460.tif 000003
【図２】
0003114460.tif 000004
【図３】
0003114460.tif 000005
【図４】
0003114460.tif 000006
【図５】
0003114460.tif 000007
【図６】
0003114460.tif 000008
【図７】
0003114460.tif 000009
【図８】
0003114460.tif 000010
【図９】
0003114460.tif 000011
【図１０】
0003114460.tif 000012
【図１１】
0003114460.tif 000013